(57)【要約】本発明は、会員がウェブサーバー１００ーによって管理される個人ウェブサイトを運営しながらメタブログサーバーに会員として加入すれば、前記メタブログサーバー２００が管理する個人メタブログウェブページに前記会員の個人ウェブサイトと表示客体を掲示し、前記表示客体を掲示することによって発生する広告主クライアント３００から支払われた広告料の一部を前記会員に提供する、メタブログウェブページを用いる広告システム及びそれを用いる収益創出方法に関する。したがって、本発明は互いに異なるウェブサーバーで個人ウェブサイトを運営する会員がみんなメタブログウェブページを利用することにより、広告主クライアントから受けた広告料の一部を受けることができる新しい収益創出効果がある。
2010533897.tif 000002
【特許請求の範囲】
【請求項１】
多数の個人ウェブサイトを管理する互いに異なる多数のウェブサーバー；
前記多数の個人ウェブサイトを運営する会員が会員として加入され、前記会員加入された会員の個人ウェブサイトと表示客体を個人メタブログウェブページにリンクさせ、前記表示客体が掲示されることにより発生する広告料の一部を前記会員加入された会員に支給するメタブログサーバー；
前記表示客体及び広告料をメタブログサーバーに提供する広告主クライアント；及び
前記メタブログサーバーに接続し、個人ウェブページと表示客体が挿入された個人メタブログウェブページを参照し、前記表示客体をクリックする多数のインターネット使用者クライアント；を含んでなることを特徴とする、メタブログウェブページを用いる広告システム。
【請求項２】
前記メタブログサーバーは、
互いに異なる多数のウェブサーバーによって多数の個人ウェブサイトのそれぞれが管理され、前記それぞれの個人ウェブサイトを運営する会員が会員として加入し、会員加入による加入データを生成する会員加入アプリケーション部；
前記加入データを保存し、前記加入データの情報の中でＵＲＬのみを別に保存する第１ＤＢ；
前記広告主クライアントから受けた表示客体及び広告料を保存する第２ＤＢ；
前記第１ＤＢに保存されたＵＲＬを用いて個人ウェブサイトの特徴を実時間で収集し、収集された個人ウェブサイトの特徴を分析して分析データを生成するデータ収集アプリケーション部；
前記分析データとＵＲＬが実時間で更新されて保存される第３ＤＢ；
前記第３ＤＢに保存された分析データとＵＲＬをリンクさせるためのメーンメタブログウェブページと前記個人ウェブサイトと表示客体が掲示される個人メタブログウェブページを生成し、生成された個人メタブログウェブページがインターネット使用者クライアントによって参照された参照回数または表示客体がクリックされたクリック数を演算するメタブログ運営アプリケーション部；
前記演算によって広告主クライアントから支払われた広告料の一部を前記個人メタブログページに掲示された個人ウェブサイトの会員に支給する電子決済アプリケーション部；を含んでなることを特徴とする、請求項１に記載のメタブログウェブページを用いる広告システム。
【請求項３】
前記第３ＤＢに保存された分析データをカテゴリー別に分類するために、それぞれのカテゴリーに当たる単語が保存された第４ＤＢ；
前記第４ＤＢに保存された単語と前記第３ＤＢに保存された分析データが持つテキスト形式の単語を比較してどのカテゴリーに当たるかを分類するデータ分類アプリケーション部をさらに含むことを特徴とする、請求項２に記載のメタブログウェブページを用いる広告システム。
【請求項４】
前記表示客体は、広告、記事または動画であることを特徴とする、請求項１または２に記載のメタブログウェブページを用いる広告システム。
【請求項５】
前記メタブログ運営アプリケーション部は、
前記第３ＤＢに保存された分析データを抽出する分析データ抽出部；
前記第２ＤＢに保存された表示客体を抽出する表示客体抽出部；
前記第３ＤＢに保存されたＵＲＬを抽出するＵＲＬ抽出部；
前記個人メタブログウェブページが活性化するようにインターネット使用者クライアントによってクリックされる多数のハイパーテキストが構成され、前記多数のハイパーテキストに分析データ抽出部から抽出された分析データをリンクさせ、前記リンクされた分析データに適したＵＲＬをＵＲＬ抽出部から抽出してリンクさせるメーンメタブログウェブページ生成するとともに、前記個人ウェブサイトが掲示されるフレームと表示客体が掲示されるフレームでなり、前記個人ウェブサイトが掲示されるフレームにＵＲＬ抽出部から個人ウェブサイトのＵＲＬを抽出してリンクさせ、前記表示客体が掲示されるフレームに表示客体抽出部から表示客体を抽出してリンクさせる個人メタブログウェブページを生成するメタブログサイト管理部；及び
前記個人メタブログページに掲示される表示客体の参照回数またはクリック数などによる広告提供寄与度をカウントする広告料演算部；を含んでなることを特徴とする、請求項２に記載のメタブログウェブページを用いる広告システム。
【請求項６】
前記第２ＤＢは、前記表示客体がカテゴリー別に保存されることを特徴とする、請求項２に記載のメタブログウェブページを用いる広告システム。
【請求項７】
前記分析データ抽出部は、前記分類アプリケーション部と第４ＤＢが第３ＤＢとメタブログ運営アプリケーション部の間にさらに備えられた場合は、前記分類アプリケーション部によってカテゴリー別に分類された分析データを抽出してメタブログサイト管理部に伝送することを特徴とする、請求項５に記載のメタブログウェブページを用いる広告システム。
【請求項８】
前記分析データは１種以上のカテゴリーに分析され、前記分析された１種以上のカテゴリーに当たる表示客体が個人メタブログウェブページに掲示されることを特徴とする、請求項７に記載のメタブログウェブページを用いる広告システム。
【請求項９】
前記個人メタブログウェブページは、前記個人ウェブサイトのカテゴリーと類似のカテゴリーに当たる表示客体が掲示されることを特徴とする、請求項５に記載のメタブログウェブページを用いる広告システム。
【請求項１０】
互いに異なる多数のウェブサーバーで管理される個人ウェブサイトを運営する会員が個人ウェブサイトのＵＲＬとともに会員加入に必要な情報をメタブログサーバーに入力して会員として加入する段階；
前記メタブログサーバーが広告主クライアントから表示客体及び広告料を受ける段階；
前記会員加入の際に入力したＵＲＬを用いてメタブログサーバーが個人ウェブサイトに記載されたテキスト、イメージなどを収集して個人ウェブサイトの特徴を分析した分析データを生成する段階；
前記分析データをインターネット使用者クライアントがクリックするようにメタブログサーバーによってメーンメタブログページに掲示される段階；
前記インターネット使用者クライアントによってメーンメタブログウェブページに備えられた多数のハイパーテキストの中でいずれか一つのハイパーテキストがクリックされれば個人メタブログページが活性化し、前記活性化した個人メタブログページにメタブログサーバーが前記個人ウェブサイトと表示客体をリンクさせる段階；
前記個人ウェブサイトと表示客体がリンクされた個人メタブログページがインターネット使用者クライアントによって参照された参照回数または前記リンクされた表示客体がインターネット使用者クライアントによってクリックされたクリック数をメタブログサーバーが演算する段階；及び
前記広告提供寄与度をカウントした演算によって、メタブログサーバーは広告主クライアントから支払われた前記広告料の一部を前記個人メタブログページにリンクされた個人ウェブサイトの会員に支給する段階；を含んでなることを特徴とする、メタブログウェブページを用いる収益創出方法。
【請求項１１】
前記分析データを生成する段階と前記メーンメタブログページに掲示される段階の間には、前記分析データが持つテキストの重要単語とカテゴリー別にすでに保存された単語を比較してカテゴリー別に分析データを分類し、前記分類された分析データが抽出されるようにする段階をさらに含むことを特徴とする、請求項１０に記載のメタブログウェブページを用いる収益創出方法。
【請求項１２】
前記個人メタブログページにリンクされた個人ウェブサイトの会員に支給する段階は、前記個人メタブログウェブページが参照された参照回数またはクリックされたクリック数などによる広告提供寄与度をカウントし、前記広告提供寄与度に基づいて支払われた広告料の一部を個人ウェブサイトを運営する会員に支給することを特徴とする、請求項１０または１２に記載のメタブログウェブページを用いる収益創出方法。
【請求項１３】
前記表示客体は、広告、記事または動画であることを特徴とする、請求項１２に記載のメタブログウェブページを用いる収益創出方法。
【請求項１４】
前記分析データは１種以上のカテゴリーに分析され、前記分析された１種以上のカテゴリーに当たる表示客体が個人メタブログウェブページに掲示されることを特徴とする、請求項１２に記載のメタブログウェブページを用いる収益創出方法。
【請求項１５】
前記個人メタブログウェブページは、前記個人ウェブサイトのカテゴリーと類似のカテゴリーに当たる表示客体が掲示されることを特徴とする、請求項１０に記載のメタブログウェブページを用いる収益創出方法。
【発明の詳細な説明】
【技術分野】
【０００１】
本発明はメタブログウェブページを用いる広告システム及びそれを用いる収益創出方法に係り、より詳しくは会員がウェブサーバーによって管理される個人ウェブサイトを運営しながらメタブログサーバーに会員として加入すれば、前記メタブログサーバーが管理する個人メタブログウェブページに前記会員の個人ウェブサイトと表示客体を掲示し、前記表示客体を掲示することによって発生する広告主クライアントから支払われた広告料の一部を前記会員に提供するためのメタブログウェブページを用いる広告システム及びそれを用いる収益創出方法に関するものである。
【背景技術】
【０００２】
図１は従来の個人ウェブサイトを運営するシステムの構成図であり、前記システムは、ウェブサーバー１０と、前記ウェブサーバー１０が運営する多数の個人ウェブサイト２０とから構成される。
【０００３】
前記のように構成されたシステムによって、ウェブサーバー１０は加入された会員に個人ウェブサイトを提供し、提供された個人ウェブサイトに会員の写真、文、キャラクターなどを登録して個人だけのサイバー空間を創出していた。
【０００４】
このように、従来の技術はただ個人だけのサイバー空間を新た創出しているだけであり、個人ウェブサイトに広告が掲示されていなく、前記広告が掲示されないため、個人ウェブサイトを運営する会員が前記広告による別途の対価を受けることができなかった。
【０００５】
さらに、多数のウェブサーバーが運営するそれぞれの個人ウェブサイトをすべて糾合したメタブログサイトも広告が掲示されていなく、前記広告が掲示されないため、前記メタブログサイトにリンクされる個人ウェブサイトの会員が前記広告による別途の対価を受けることができなかった。
【発明の概要】
【発明が解決しようとする課題】
【０００６】
したがって、本発明は前記問題点を解決するためになされたもので、本発明の目的は、メタブログサーバーが管理する個人メタブログウェブページに個人ウェブサイトと表示客体を掲示し、前記個人ウェブサイトを運営する会員に表示客体を提供した広告主クライアントから支払われた広告料の一部を提供することにある。
【課題を解決するための手段】
【０００７】
前記目的を達成するための本発明の一実施例によれば、多数の個人ウェブサイトを管理する互いに異なる多数のウェブサーバー；前記多数の個人ウェブサイトを運営する会員が会員として加入され、前記会員加入された会員の個人ウェブサイトと表示客体を個人メタブログウェブページにリンクさせ、前記表示客体が掲示されることにより発生する広告料の一部を前記会員加入された会員に支給するメタブログサーバー；前記表示客体及び広告料をメタブログサーバーに提供する広告主クライアント；及び前記メタブログサーバーに接続し、個人ウェブページと表示客体が挿入された個人メタブログウェブページを参照し、前記表示客体をクリックする多数のインターネット使用者クライアント；を含んでなる、メタブログウェブページを用いる広告システムが提供される。
【０００８】
前記目的を達成するための本発明の他の実施例によれば、互いに異なる多数のウェブサーバーで管理される個人ウェブサイトを運営する会員が個人ウェブサイトのＵＲＬとともに会員加入に必要な情報をメタブログサーバーに入力して会員として加入する段階；前記メタブログサーバーが広告主クライアントから表示客体及び広告料を受ける段階；前記会員加入の際に入力したＵＲＬを用いてメタブログサーバーが個人ウェブサイトに記載されたテキスト、イメージなどを収集して個人ウェブサイトの特徴を分析した分析データを生成する段階；前記分析データをインターネット使用者クライアントがクリックするようにメタブログサーバーによってメーンメタブログページに掲示される段階；前記インターネット使用者クライアントによってメーンメタブログウェブページに備えられた多数のハイパーテキストの中でいずれか一つのハイパーテキストがクリックされれば個人メタブログページが活性化し、前記活性化した個人メタブログページにメタブログサーバーが前記個人ウェブサイトと表示客体をリンクさせる段階；前記個人ウェブサイトと表示客体がリンクされた個人メタブログページがインターネット使用者クライアントによって参照された参照回数または前記リンクされた表示客体がインターネット使用者クライアントによってクリックされたクリック数をメタブログサーバーが演算する段階；及び前記広告提供寄与度をカウントした演算によって、メタブログサーバーは広告主クライアントから支払われた前記広告料の一部を前記個人メタブログページにリンクされた個人ウェブサイトの会員に支給する段階；を含んでなる、メタブログウェブページを用いる収益創出方法が提供される。
【発明の効果】
【０００９】
以上説明したように、本発明は互いに異なるウェブサーバーで個人ウェブサイトを運営する会員がみんなメタブログウェブページを利用することにより、広告主クライアントから受けた広告料の一部を受けることができる新しい収益創出の効果がある。
【図面の簡単な説明】
【００１０】
【図１】従来の個人ウェブサイトを運営するシステムの構成図である。
【図２】本発明によるメタブログサイトを用いる広告システムの構成図である。
【図３】本発明によるメタブログサーバーの構成図である。
【図４】本発明によるメタブログサーバーに接続するための会員加入の例示図である。
【図５】本発明によるメタブログ運営アプリケーション部の構成図である。
【図６】本発明によるメーンメタブログウェブページの例示図である。
【図７】本発明による個人ウェブサイトの例示図である。
【図８】本発明による個人メタブログウェブページの例示図である。
【図９】本発明によるメタブログウェブページを用いる収益創出のフローチャートである。
【発明を実施するための形態】
【００１１】
以下、添付図面に基づいて本発明の実施例を詳細に説明する。
【００１２】
図２は本発明によるメタブログサイトを用いる広告システムの構成図であり、前記システムは、多数のウェブサーバー１００、メタブログサーバー２００、多数の広告主クライアント３００、及び多数のインターネット使用者クライアント４００でなる。
【００１３】
より詳細に、前記多数のウェブサーバー１００は、互いに異なる多数のウェブサーバーがそれぞれの個人ウェブサイトを管理し、前記個人ウェブサイトをそれぞれのウェブサーバーに加入された会員に提供する。前記会員に提供された個人ウェブサイトは会員自身が会員だけのサイバー空間を新たに創出するように運営される。
【００１４】
このように、前記個人ウェブサイトは、現在多数のウェブサーバーで管理されるブログ、カフェーなどのようなものが好ましい。
【００１５】
前記メタブログサーバー２００は、図３に示すように、メタブログサーバー２００を使うための会員加入アプリケーション部２１０、会員加入データが保存される第１ＤＢ２２０、表示客体及び広告料が保存される第２ＤＢ２３０、個人ウェブサイトの特徴を収集し、収集された個人ウェブサイトの特徴を分析して分析データを生成するデータ収集アプリケーション部２４０、分析データを保存する第３ＤＢ２５０、メーンまたは個人メタブログウェブページを管理するメタブログ運営アプリケーション部２６０、及び電子決済アプリケーション部２７０でなる。また、前記表示客体は、広告、記事、動画などが好ましい。
【００１６】
さらに、前記会員加入アプリケーション部２１０、第１ＤＢ２２０、第２ＤＢ２３０、データ収集アプリケーション部２４０、第３ＤＢ２５０、メタブログ運営アプリケーション部２６０及び電子決済アプリケーション部２７０に加え、分析データをカテゴリー別に分類する分類アプリケーション部２８０とカテゴリー別に分類するための単語が保存された第４ＤＢ２９０をさらに備えて構成することができる。
【００１７】
より詳細に、前記メタブログサーバー２００の会員加入アプリケーション部２１０は、多数のウェブサーバー１００によって多数の個人ウェブサイトのそれぞれが管理され、前記それぞれの個人ウェブサイトを運営する会員がメタブログサーバー２００に会員として加入するもので、前記メタブログサーバー２００は、図４に示すように、ＩＤ、パスワード、個人ウェブサイトＵＲＬなどを会員が記録することによりメタブログサーバー２００の会員になり、前記ＩＤ、パスワード、個人ウェブサイト住所などを会員が記録することにより加入データを生成し、前記生成された加入データは第１ＤＢ２２０に伝送されて保存される。
【００１８】
前記メタブログサーバー２００の第１ＤＢ２２０は、会員加入アプリケーション部２１０によって生成された加入データを保存し、前記加入データの情報の中でＵＲＬのみを別に保存する。
【００１９】
前記メタブログサーバー２００の第２ＤＢ２３０は、広告主クライアント３００から受けた表示客体がメタブログサーバー２００が生成した個人メタブログウェブページにリンクされるように表示客体と広告料を保存する。
【００２０】
また、カテゴリー別に分類された個人ウェブサイトに適した表示客体がリンクされるために、表示客体をカテゴリー別に保存することが好ましい。
【００２１】
前記メタブログサーバー２００のデータ収集アプリケーション部２４０は、前記第１ＤＢ２２０に保存されたＵＲＬを抽出し、抽出されたＵＲＬを用いて会員が運営する個人ウェブサイトをメタブログサーバー２００が生成したメーンメタブログページに掲示して、インターネット使用者クライアント４００が選択するように個人ウェブサイトの特徴を実時間で収集し、収集された個人ウェブサイトの特徴を分析して分析データを生成する。
【００２２】
前記分析データは個人ウェブサイトに記録されたテキスト、イメージなどを持続的に収集することによれい得られ、個人ウェブサイトの特徴をインターネット使用者クライアント４００が確認することができ、前記分析データは第３ＤＢ２５０に伝送される。
【００２３】
また、データ収集アプリケーション部２２０は、前記分析データを第３ＤＢ２５０に伝送すると同時に抽出されたＵＲＬを第３ＤＢ２５０に伝送する。
【００２４】
前記メタブログサーバー２００の第３ＤＢ２５０は分析データとＵＲＬが保存されて、前記データ収集アプリケーション部２２０によって実時間で伝送されることにより、分析データが実時間で更新されて保存される。
【００２５】
前記メタブログサーバー２００のメタブログ運営アプリケーション部２６０は、図５に示すように、分析データ抽出部２６１、表示客体抽出部２６２、ＵＲＬ抽出部２６３、メタブログサイト管理部２６４、及び広告料演算部２６５でなる。
【００２６】
前記メタブログ運営アプリケーション部２６０の分析データ抽出部２６１は、第３ＤＢ２５０に保存された分析データを抽出してメタブログサイト管理部２６４に伝送する。
【００２７】
特に、分析データ抽出部２６１は、前記分類アプリケーション部２８０と第４ＤＢ２９０が第３ＤＢ２５０とメタブログ運営アプリケーション部２６０の間にさらに備えられた場合、前記分類アプリケーション部２８０によってカテゴリー別に分類された分析データを抽出してメタブログサイト管理部２６４に伝送する。
【００２８】
前記メタブログ運営アプリケーション部２６０の表示客体抽出部２６２は、第２ＤＢ２３０に保存された表示客体を抽出してメタブログサイト管理部２６４に伝送する。
【００２９】
特に、表示客体抽出部２６２は、前記分類アプリケーション部２８０と第４ＤＢ２９０が第３ＤＢ２５０とメタブログ運営アプリケーション部２６０の間にさらに備えられた場合、分類アプリケーション部２８０によってカテゴリー別に分類された分析データを抽出してメタブログサイト管理部２６４に伝送する。
【００３０】
前記メタブログ運営アプリケーション部２６０のＵＲＬ抽出部２６３は、第３ＤＢ２５０に保存されたＵＲＬを抽出してメタブログサイト管理部２６４に伝送する。
【００３１】
前記メタブログ運営アプリケーション部２６０のメタブログサイト管理部２６４はメーンメタブログウェブページ２６４−１０と前記メーンメタブログウェブページに従属された個人メタブログウェブページ２６４−２０を生成する。
【００３２】
前記生成されたメーンメタブログウェブページ２６４−１０は、図６に示すように、個人メタブログウェブページが活性化するようにインターネット使用者クライアントによってクリックされるように多数のハイパーテキスト２６４−１１が構成され、前記多数のハイパーテキスト２６４−１１に分析データ抽出部２６１から抽出された分析データ、つまりテキスト、イメージなどが掲示されるようにし、前記掲示された分析データに適したＵＲＬをＵＲＬ抽出部２６３から抽出してリンクさせる。
【００３３】
したがって、インターネット使用者クライアント４００が前記多数のハイパーテキスト２６４−１１の中でいずれか一つのハイパーテキストを選択すれば、該当の個人メタブログウェブページ２６４−２０が活性化する。
【００３４】
また、前記生成された個人メタブログウェブページ２６４−２０は、図７に示すように、個人ウェブサイトが掲示されると同時に表示客体が掲示される。すなわち、図８に示すように、個人ウェブサイトが掲示されるフレーム２６４−２１と広告が掲示されるフレーム２６４−２２から構成され、前記個人ウェブサイトが掲示されるフレーム２６４−２１にＵＲＬ抽出部２６３から個人ウェブサイトのＵＲＬを抽出してリンクさせることにより個人ウェブサイトがリンクされ、前記広告が掲示されるフレーム２６４−２２に表示客体抽出部２６２から表示客体を抽出してリンクさせることにより表示客体が掲示される。
【００３５】
特に、前記分類アプリケーション部２８０と第４ＤＢ２９０が第３ＤＢ２５０とメタブログ運営アプリケーション部２６０の間にさらに備えられた場合、表示客体が掲示されるフレーム２６４−２２は分類アプリケーション部２８０によって分析データに適した表示客体を掲示することも好ましい。
【００３６】
したがって、カテゴリー別に分類された個人ウェブサイトに応じて表示客体が掲示されるために、第２ＤＢ２３０に表示客体がカテゴリー別に保存されることが好ましい。
【００３７】
前記メタブログ運営アプリケーション部２６０の広告料演算部２６５は、メタブログサイト管理部２６４によって生成された個人メタブログページ２６４−２０に掲示される表示客体の参照された参照回数または個人メタブログページ２６４−２０に掲示された表示客体をクリックしたクリック数などによる広告提供寄与度をカウントし、前記広告提供寄与度に基づいて、広告主から受けた広告料の一部を個人ウェブサイトを運営する会員に支給するために演算する。
【００３８】
前記メタブログサーバー２００の電子決済アプリケーション部２７０は、メタブログ運営アプリケーション部２６０の広告料演算部２６５で演算された広告料を、個人メタブログウェブページに個人ウェブサイトを掲示した会員に支給する
前記広告主クライアント３００は、メタブログサーバー２００に表示客体と広告料を提供する。
【００３９】
特に、広告主クライアント３００が所望のカテゴリーを選択すれば、前記広告主クライアント３００が望むカテゴリーに当たる個人メタブログウェブページに表示客体が表示される。
【００４０】
前記メタブログサーバー２００のデータ分類アプリケーション部２８０は、メタブログ運営アプリケーション部２６０で第３ＤＢ２５０に保存された分析データを抽出する過程で、カテゴリー別に単語が保存された第４ＤＢ２９０と前記第３ＤＢ２５０に保存された分析データが持つテキスト形式の単語を比較してどのカテゴリーに当たるかが分類されることにより、分類された分析データをメタブログ運営アプリケーション部２６０に伝送する。
【００４１】
例えば、図７に示す個人ウェブサイトは履物に関連した個人ウェブサイトであるので、テキスト内容を分析すれば、靴、運動靴、センダル、ブーツ、スポーツ、スーツ、男子用靴、インラインスケートなどの履物に関連した単語が多く現れ、前記単語を含む第４ＤＢ２９０に保存されたカテゴリー別に保存された単語と比較して生活用品の中で履物に当たるものに分析する。
【００４２】
この際、前記個人ウェブサイトのテキストと第４ＤＢ２９０に保存されたカテゴリー別単語分析は１種以上のカテゴリーを分析することができる。すなわち、前記単語の中で、運動靴、スポーツ、インラインスケートはスポーツに関連したものなので、スポーツの中でレジャー用品に分析できるものである。
【００４３】
したがって、１種以上のカテゴリーに分析されるので、個人ウェブサイトが掲示されるメタブログページに一つ以上分析されたカテゴリーに当たる表示客体が表示される。
【００４４】
前記メタブログサーバー２００の第４ＤＢ２９０は、社会、経済、政治、文化、などのカテゴリー別に該当の単語が予め保存されており、前記カテゴリー別に従属した詳細分野に当たる単語が保存されている。すなわち、前記第３ＤＢ２５０に保存された分析データをカテゴリー別に分類するための単語がカテゴリー別に保存される。
【００４５】
図９は本発明によるメタブログウェブページを用いる収益創出方法のフローチャートであり、前記収益創出方法は次のような段階でなる。
【００４６】
互いに異なる多数のウェブサーバーで管理される個人ウェブサイトを運営する会員が個人ウェブサイトのＵＲＬとともに会員加入に必要な情報をメタブログサーバーに入力して会員として加入する段階Ｓ１０、前記メタブログサーバーが広告主クライアントから客体及び広告料を受ける段階Ｓ２０、前記会員加入の際に入力したＵＲＬを用いてメタブログサーバーが個人ウェブサイトに記載されたテキスト、イメージなどを収集して個人ウェブサイトの特徴を分析した分析データを生成する段階Ｓ３０、前記分析データをインターネット使用者クライアントがクリックするように、メタブログサーバーによってメーンメタブログページに掲示される段階Ｓ４０、前記インターネット使用者クライアントによってメーンメタブログウェブページに備えられた多数のハイパーテキストの中でいずれか一つのハイパーテキストがクリックされれば個人メタブログページが活性化し、前記活性化した個人メタブログページにメタブログサーバーが前記個人ウェブサイトと表示客体をリンクさせる段階Ｓ５０、前記個人ウェブサイトと表示客体がリンクされた個人メタブログページがインターネット使用者クライアントによって参照された参照回数または前記リンクされた表示客体がインターネット使用者クライアントによってクリックされたクリック数をメタブログサーバーが演算する段階Ｓ６０、及び前記広告提供寄与度をカウントした演算によって、メタブログサーバーは広告主クライアントから支払われた前記広告料の一部を前記個人メタブログページにリンクされた個人ウェブサイトの会員に支給する段階Ｓ７０でなる。
【００４７】
さらに、前記Ｓ３０段階とＳ４０段階の間に、前記分析データが持つテキストの重要単語とカテゴリー別にすでに保存された単語を比較してカテゴリー別に分析データを分類し、前記分類された分析データが抽出されるようにする段階Ｓ８０をさらに含んでなる。
【００４８】
より詳細に、互いに異なる多数のウェブサーバーで管理される個人ウェブサイトを運営する会員が個人ウェブサイトのＵＲＬとともに会員加入に必要な情報をメタブログサーバーに入力して会員として加入する段階Ｓ１０は、任意の一会員が個人ウェブサイトを運営するために、前記個人ウェブサイトを管理するウェブサーバーに会員として加入することにより、前記個人ウェブサイトを運営する。
【００４９】
前記のような個人ウェブサイトを管理するウェブサーバー１００は多数であり、前記多数のウェブサーバー１００のそれぞれに会員として加入してそれぞれの会員が運営する個人ウェブサイトも多数であるので、個人ウェブサイトを収集して統合管理するメタブログサーバー２００に前記互いに異なる多数のウェブサーバー１００のそれぞれで個人ウェブサイトを運営する多数の会員がメタブログサーバー２００の会員加入アプリケーション部２１０を通じて会員として加入する。
【００５０】
前記メタブログサーバーが広告主クライアントから表示客体及び広告料を受ける段階Ｓ２０は、個人ウェブサイトが掲示されるフレーム２６４−２１と表示客体が掲示されるフレーム２６４−２２とからなる個人メタブログページ２６４−２０において、前記表示客体フレーム１６４−２２に表示客体を掲示するように前記広告主クライアント３００からメタブログサーバー２００が受け、またメタブログサーバー２００は、前記個人メタブログページ２６４−２０に表示客体が掲示されることによって発生する広告料を広告主クライアント３００から受ける。
【００５１】
前記会員加入の際に入力したＵＲＬを用いて、メタブログサーバーが個人ウェブサイトに記載されたテキスト、イメージなどを収集し、個人ウェブサイトの特徴を分析した分析データを生成する段階Ｓ３０は、会員加入の際に入力したＵＲＬを用いて、会員が運営する個人ウェブサイトの特徴を分析するために、メタブログサーバー２００のデータ収集アプリケーション部２４０が個人ウェブサイトに記録されたテキスト、イメージなどを持続的に収集して分析データを生成し、前記分析データとＵＲＬを保存する。
【００５２】
前記分析データをインターネット使用者クライアントがクリックするように、メタブログサーバーによってメーンメタブログページに掲示される段階Ｓ４０は、メタブログサイト管理部２６４がメーンメタブログウェブページ２６４−１０と前記メーンメタブログウェブページに従属した個人メタブログウェブページ２６４−２０を生成し、生成されたメーンメタブログウェブページ２６４−１０に、分析データ抽出部２６１によって抽出された分析データを掲示させるための多数のハイパーテックスが構成される。前記構成されたハイパーテキストに分析データ抽出部２６１によって抽出された分析データを掲示させることにより、インターネット使用者クライアント４００が掲示されたフレームをクリックするようにする。
【００５３】
前記インターネット使用者クライアントによってメーンメタブログウェブページに備えられた多数のハイパーテキストの中でいずれか一つのハイパーテキストがクリックされれば、個人メタブログページが活性化し、前記活性化した個人メタブログページにメタブログサーバーが前記個人ウェブサイトと表示客体をリンクさせる段階Ｓ５０は、インターネット使用者クライアント４００がメーンメタブログウェブページ２６４−１０に構成された多数のハイパーテキストの中でいずれか一つのハイパーテキストをクリックすれば、個人メタブログページ２６４−２０が活性化する。
【００５４】
前記活性化した個人メタブログページ２６４−２０は個人ウェブサイトが掲示されるフレーム２６４−２１と表示客体が掲示されるフレーム２６４−２２とからなり、前記個人ウェブサイトが掲示されるフレーム２６４−２１にＵＲＬ抽出部２６３から掲示される個人ウェブサイトのＵＲＬを抽出してリンクさせることにより、個人ウェブサイトが掲示され、前記表示客体が掲示されるフレーム２６４−２２に表示客体抽出部２６２から掲示される表示客体を抽出してリンクさせることにより、表示客体が掲示される。
【００５５】
前記個人ウェブサイトと表示客体がリンクされた個人メタブログページがインターネット使用者クライアントによって参照された参照回数または前記リンクされた表示客体がインターネット使用者クライアントによってクリックされたクリック数をメタブログサーバーが演算する段階Ｓ６０は、メタブログ運営アプリケーション部２６０の広告料演算部２６５が表示客体の参照回数またはクリック数などによる広告提供寄与度をカウントし、前記広告提供寄与度に基づいて、広告主から受けた広告料の一部を個人ウェブサイトを運営する会員に支給するために演算する。
【００５６】
前記広告提供寄与度をカウントした演算によって、メタブログサーバーは広告主クライアントから支払われた前記広告料の一部を前記個人メタブログページにリンクされた個人ウェブサイトの会員に支給する段階Ｓ７０は、メタブログサーバー２００の電子決済アプリケーション部２７０がメタブログ運営アプリケーション部２６０の広告料演算部２６５で演算された広告料を用いて個人メタブログウェブページに個人ウェブサイトを掲示した会員に支給する
特に、広告主クライアント３００が所望のカテゴリーを選択すれば、前記広告主クライアント３００が望むカテゴリーに当たる個人メタブログウェブページに表示客体が表示される。
【００５７】
前記分析データが持つテキストの重要単語とカテゴリー別にすでに保存された単語を比較してカテゴリー別に分析データを分類し、前記分類された分析データが抽出されるようにする段階Ｓ８０は、カテゴリー別に単語が保存された第４ＤＢ２９０と前記第３ＤＢ２５０に保存された分析データが持つテキスト形式の単語を比較してどのカテゴリーに当たるかが分類されるので、分類された分析データを抽出する過程でカテゴリー別に分類された分析データが伝送されるようにする。
【００５８】
以上本発明の好適な実施例を例示の目的で小説明したが、前記実施例は例示的なもので、本発明を限定するものではない。当業者によって可能なすべての構成部の修正及び変形または等価物は添付する特許請求の範囲に開示されたような本の精神または分野から逸脱しないものでなく本の範囲に属するものとしてみなさなければならない。
【図１】
2010533897.tif 000003
【図２】
2010533897.tif 000004
【図３】
2010533897.tif 000005
【図４】
2010533897.tif 000006
【図５】
2010533897.tif 000007
【図６】
2010533897.tif 000008
【図７】
2010533897.tif 000009
【図８】
2010533897.tif 000010
【図９】
2010533897.tif 000011
【国際調査報告】
2010533897.tif 000012
2010533897.tif 000013